(57)【要約】【課題】顧客が、出金された紙幣３を受け取るときに、それぞれ別々の位置から取る必要をなくし、一度に受け取ることができるようにする。【解決手段】カード１１ａを用いて本人確認を行って取引を行い、取引履歴を印字したレシート２５ａおよびカード１１ａとともに紙幣３を出金する自動取引装置１において、Ｖ字形状６ｖを備え回動可能な紙幣受け部６を設け、前記Ｖ字形状６ｖに前記レシート２５を搬入させて略中央位置にて折り、当該内側に前記カード１１ａおよび紙幣３を搬入し、前記レシート２５ａにて前記カード１１ａおよび紙幣３を挟持した状態で取り出せるようにした。【選択図】図２
2012128688.tif 000002
【特許請求の範囲】
【請求項１】
有価媒体を出力する媒体受け手段を備え、認証用媒体を用いて本人確認を行って所望の取引を行い、当該取引履歴を記録した履歴記録媒体と前記認証用媒体とともに有価媒体を出力する自動取引装置において、
前記いずれかの媒体にて他の媒体を挟持して出力する挟持手段を前記媒体受け手段に設けたことを特徴とする自動取引装置。
【請求項２】
前記有価媒体は紙幣または硬貨であり、前記認証用媒体はキャッシュカードであり、履歴記録媒体はレシートまたは通帳であり、前記媒体受け手段は紙幣受け部または硬貨受け部であり、前記挟持手段は回動可能な前記媒体受け手段に設けたＶ字形状であって、
前記媒体を出力するときに、前記履歴記録媒体を前記Ｖ字形状に搬送し、前記履歴記録媒体の内側に他の媒体を搬送し、前記Ｖ字形状の先端が下方となるように前記媒体受け手段を回動させるようしたことを特徴とする請求項１記載の自動取引装置。
【請求項３】
前記有価媒体は紙幣または硬貨であり、前記認証用媒体はキャッシュカードであり、履歴記録媒体はレシートまたは通帳であり、前記媒体受け手段は紙幣受け部または硬貨受け部であり、前記挟持手段は前記媒体受け手段に設けた被挟持媒体を支持する支持部と当該支持部の略中央位置に備えた支点により回動する回動部からなり、
前記媒体を出力するときに、前記履歴記録媒体を前記支持部に搬送し、前記履歴記録媒体の内側に他の媒体を搬送し、前記回動部を回動して挟持するようにしたことを特徴とする請求項１記載の自動取引装置。
【請求項４】
前記履歴記録媒体は通帳であって、当該通帳を前記支持部に搬送する搬送路に反転手段を備えたことを特徴とする請求項３記載の自動取引装置。
【請求項５】
前記履歴記録媒体は最終印字ページが開かれた通帳であることを特徴とする請求項３記載の自動取引装置。
【発明の詳細な説明】
【技術分野】
【０００１】
本発明は、カード、通帳等の取引用媒体を用いて紙幣や硬貨などの有価媒体を取扱う現金自動預払機等の自動取引装置における有価媒体および取引用媒体等の出力に関するものである。
【背景技術】
【０００２】
従来の現金自動預払機等の自動取引装置では、紙幣や硬貨などの有価媒体の挿入出力口、カード、通帳等の取引用媒体を挿入し出力する挿入出力口、取引履歴を記録したレシートを出力する出力口を備え、取引ごとに必要とされる取引用媒体を該当する挿入口から挿入して取引を行い、取引終了後に、有価媒体、取引用媒体をそれぞれの挿入出力口から出力し、レシートをレシート出力口から出力するようになっている（例えば、特許文献１参照）。
【先行技術文献】
【特許文献】
【０００３】
【特許文献１】特開平９−２０４５５６号公報
【発明の概要】
【発明が解決しようとする課題】
【０００４】
しかしながら、上記従来の自動取引装置では、それぞれ別々の位置から出力されるために、各出力口から１つずつ取る必要があり不便であるとともにこれらのいずれかを取り忘れてしまうといった問題もあった。
【課題を解決するための手段】
【０００５】
本発明は、前述の課題を解決するため次の構成を採用する。すなわち、有価媒体を出力する媒体受け手段を備え、認証用媒体を用いて本人確認を行って所望の取引を行い、当該取引履歴を記録した履歴記録媒体と前記認証用媒体とともに有価媒体を出力する自動取引装置において、前記いずれかの媒体にて他の媒体を挟持して出力する挟持手段を前記媒体受け手段に設けた。
【発明の効果】
【０００６】
本発明の自動取引装置によれば、有価媒体を出力する媒体受け手段を備え、認証用媒体を用いて本人確認を行って所望の取引を行い、当該取引履歴を記録した履歴記録媒体と前記認証用媒体とともに有価媒体を出力する自動取引装置において、前記いずれかの媒体にて他の媒体を挟持して出力する挟持手段を前記媒体受け手段に設けたので、それぞれ別々の位置から前記媒体を取る必要がなく、一度に受け取ることができ、取り忘れをも防止することができる。
【図面の簡単な説明】
【０００７】
【図１】実施例１の自動取引装置の外観斜視図である。
【図２】実施例１の自動取引装置の内部構成図である。
【図３】実施例１の自動取引装置の制御系ブロック図である。
【図４】実施例１の自動取引装置の動作フローチャート図である。
【図５】実施例１の自動取引装置の動作説明図である。
【図６】実施例１の自動取引装置の動作説明図である。
【図７】実施例１の自動取引装置の動作説明図である。
【図８】実施例２の自動取引装置の構成および動作説明図である。
【図９】実施例２の自動取引装置の構成および動作説明図である。
【図１０】実施例２の自動取引装置の動作説明図である。
【図１１】実施例３の自動取引装置の動作フローチャート図である。
【図１２】実施例３の自動取引装置の構成および動作説明図である。
【図１３】実施例３の自動取引装置の構成および動作説明図である。
【図１４】実施例３の自動取引装置の動作説明図である。
【図１５】実施例４の自動取引装置の構成および動作説明図である。
【図１６】実施例４の自動取引装置の構成および動作説明図である。
【図１７】実施例４の自動取引装置の動作説明図である。
【発明を実施するための形態】
【０００８】
以下、図面を参照して本発明の実施の形態を説明する。なお、以下の説明では、取扱う有価媒体として紙幣を例として説明するが、硬貨であってもよいし、切符や債券であっても同様に本発明を適用することができる。
【実施例１】
【０００９】
（構成）
図１は、実施例１の自動取引装置１の外観を示す斜視図である。同図に示したように自動取引装置１の外側には、赤外光を発光しその反射光を検知する近接センサなどの顧客センサ１０と、本人確認を行うためのキャッシュカード（以下、「カード」という）を挿入または出力するカード挿入出力口１１と、液晶表示器に透明タッチパネルを積層してなる操作部１６と、紙幣を投入または出金する紙幣入出金口１４と、硬貨を入金または出金する硬貨入出金口１５と、通帳での取引を行う場合に通帳を挿入または出力する通帳挿入出力口１２を備える。
【００１０】
図２は、図１のＲ方向から見た実施例１の自動取引装置の内部構成を示す図である。同図に示したように、実施例１の自動取引装置は、カード挿入出力口１１の後側に備えられるカード処理部２３と、当該カード処理部２３と後述の紙幣受け部６とを連結するカード搬送路２３ａと、通帳挿入出力口１２の後側に備えられる通帳記帳部２４と、紙幣入出金口１４の下側に設けられ挟持手段としてのＶ字形状６ｖを有し支点６ａにて回動可能な媒体受け手段としての紙幣受け部６と、その後側に取引履歴等を印字して顧客に渡すレシート印字部２５と、紙幣を収納する紙幣収納部２６ａと図示しない繰出ローラや搬送ローラ、搬送路、鑑別部とからなる紙幣入出金部２６と、後述の硬貨収納部２７ａを備えた硬貨入出金部２７が紙幣入出金部２６と並べて備えられている。
【００１１】
また、実施例１の自動取引装置１の制御系は、図３に示したような構成となっている。すなわち、自動取引装置１の制御系は、各部を制御する主制御部２０に、前述の操作部１６と、スピーカ等から構成され音声案内を行なう音声案内部２２と、カード１１ａに記録された情報のリードライトを行う前記カード処理部２３と、通帳記帳等の通帳処理を行う前記通帳記帳部２４と、前記レシート印字部２５と、投入された紙幣を鑑別計数し収納する入金処理および紙幣を出金する出金処理を行う前記紙幣入出金部２６と、硬貨について同様の処理を行う前記硬貨入出金部２７が接続された構成となっている。
【００１２】
さらに、主制御部２０の記憶部として機能するメモリ部２９と、回線３１にて接続された金融機関等のホスト装置４０とのインタフェイスを制御するインタフェイス部３０が主制御部２０に接続され、各部に電源を供給する電源部２８が備えられた構成となっている。
【００１３】
（動作）
以上の構成により実施例１の自動取引装置は、以下のように動作する。この動作を図４の動作フローチャート、図５の装置内部側面図、図６の装置内部正面図、図７の紙幣入出金部６の動作説明図を用いて、出金動作を一例として以下詳細に説明する。
【００１４】
まず、図４の動作フローチャートに示したように、顧客が自動取引装置１に近づき顧客センサ１０により顧客を検知すると、主制御部２０は、操作部１６の操作画面にカード１１ａの挿入を促すガイダンスを表示する（ステップＳ０１）。
【００１５】
そして、顧客がカード１１ａをカード挿入出力口１１から挿入すると、カード処理部２３にてカード１１ａに記録された情報から口座番号を取得する（ステップＳ０２）。
【００１６】
そして、操作部１６の操作画面に取引選択画面を表示し（ステップＳ０３）、顧客が、本例では出金取引を選択し、「お引き出し」ボタンを押下すると（ステップＳ０４）、パスワード等による本人確認処理を実施する（ステップＳ０５）。
【００１７】
本人確認が終了し顧客が指定金額を入力すると、当該指定された金額の紙幣３を紙幣収納部２６ａより繰り出し、レシート２５ａ、カード１１ａとともに紙幣３を紙幣受け部６に搬送し、詳細後述の第１の挟持動作により挟持媒体となるレシート２５ａにて被挟持媒体となるカード１１ａおよび紙幣３を挟持し（ステップＳ０６）、紙幣入出金口１４を開き、顧客がこれを受領する（ステップＳ０７）。
【００１８】
そして、所定の時間が経過しても出金された紙幣等が残留していたときは、取忘れと判定し（ステップＳ０８）、図示しない取忘れ収納部にこれらを収納し（ステップＳ０９）、ホスト装置４０に当該取引結果をインタフェイス部３０により回線３１を経由して送信して、本処理を終了する。一方、所定の時間内に出金された紙幣等が取られ、取り忘れがないと判定したときは、ホスト装置４０に当該取引結果をインタフェイス部３０により回線３１を経由して送信して、本処理を終了する。
【００１９】
なお、取り忘れた紙幣等は、後の取引にて口座番号等により取り忘れた本人であることを確認したときに、前記取忘れ収納部から取り出せるようにしてもよいし、前記取忘れ収納部から紙幣受け部６に再び搬送して紙幣受け部６から取り出せるようにしてもよい。
【００２０】
次に、図５の装置内部側面図、図６の装置内部正面図、図７の紙幣入出金部６の動作説明図を用いて図４のステップＳ０６にて述べた第１の挟持動作の動作について詳細に説明する。
【００２１】
まず、レシート印字部２５にて取引履歴等を印字したレシート２５ａを図５、図７（ａ）の矢印Ｇのように紙幣受け部６に搬送する。そして、さらに、図７（ｂ）に示したようにレシート２５ａが略中央位置にて折れ曲がった状態となるまで搬送する。
【００２２】
次に、図５、図６、図７（ｂ）の矢印Ｈのように、カード１１ａをカード処理部２３からカード搬送路２３ａを経由して搬送し、紙幣受け部６に搬送する。
【００２３】
次に、図５、図６、図７（ｃ）の矢印Ｉのように紙幣収納部２６ａより繰り出された紙幣３を紙幣受け部６に搬送する。
【００２４】
そして、図７（ｄ）の矢印Ｅのように紙幣受け部６を回動し、紙幣入出金口１４を開いて、レシート２５ａによって挟持されたカード１１ａ、紙幣３を取り出せるようにする。このとき、レシート２５ａにてしっかり挟持されるように紙幣受け部６を振動させるようにするとよい。
【００２５】
また、以上の実施例の説明では、常に、レシート２５ａによってカード１１ａ、紙幣３を挟持して出力するように説明したが、取引開始時や出金する時に、レシート２５ａによってカード１１ａ、紙幣３を挟持して一括で出力するか、別々に出力するかを操作部１６にて選択できるようにしてもよい。なお、この場合、別々に出力するためのレシート出力口をカード挿入出力口１１の上部近傍などに設ける。
【００２６】
また、以上の実施例の説明では、音声案内部２２による案内について説明しなかったが、取引選択時や出金する時などに、レシート２５ａによってカード１１ａ、紙幣３を挟持して一括で出力されることを音声ガイダンスするようにするとよい。
【００２７】
また、以上の実施例の説明では、紙幣入出金口１４の紙幣受け部６にカード１１ａ、紙幣３をレシート２５ａで挟持して出力するように説明したが、硬貨入出金口１５の硬貨受け部７を紙幣受け部６と同様の構造としカード１１ａ、紙幣３に加え、硬貨もレシート２５ａで挟持して出力するようにしてもよい。
【００２８】
この場合、図７（ｄ）にて矢印Ｅ方向に回動させる際、紙幣受け部６の開口部を右上位置にて一旦停止し出金する硬貨をレシート２５ａ内側に落下するようにし、さらに矢印Ｅ方向に回動するようにすればよい。
【００２９】
（実施例１の効果）
以上のように実施例１の自動取引装置によれば、カードを用いて本人確認を行って取引を行い、取引履歴を印字したレシートおよびカードとともに現金を出金する自動取引装置において、Ｖ字形状を備え回動可能な紙幣受け部を設け、前記Ｖ字形状に前記レシートを搬入させて略中央位置にて折り、当該内側に前記カードおよび出金現金を搬入し、前記レシートにて前記カードおよび出金現金を挟持した状態で取り出せるようにしたので、それぞれ別々の位置から取る必要がなく一度に受け取ることができ、取り忘れをも防止することができる。
【実施例２】
【００３０】
（構成）
実施例２の自動取引装置１の外観構成、制御系の構成は、図１および図３を用いて説明した実施例１の自動取引装置の構成と同様であるので、簡略化のためにその詳細な説明は省略する。
【００３１】
実施例２の自動取引装置では、図８の装置内部側面図、図９の装置内部正面図に示したように、媒体受け手段としての紙幣受け部６内に挟持手段としての支持部６ｂおよび支点６ｃを有する回動部６ｄを設け、レシート２５ａによりカード１１ａ、紙幣３を挟持して取り出せるようにした構成となっている。その他の構成は実施例１の自動取引装置の構成と同様であるので、簡略化のためにその詳細な説明は省略する。
【００３２】
（動作）
以上の構成により実施例２の自動取引装置は、以下のように動作する。この動作を前述の図８および図９の内部構成図と、図１０の紙幣受け部６の動作説明図を用いて以下詳細に説明する。
【００３３】
なお、出金動作は図４の動作フローチャート図を用いて説明した実施例１の動作と同様であるので簡略化のためにその詳細な説明は省略する。
【００３４】
実施例２の自動取引装置における図４のステップＳ０６の出金動作にて行う第１の挟持動作は、まず、レシート印字部２５にて取引履歴等を印字したレシート２５ａを図８、図９図、１０（ａ）の矢印Ｇのように紙幣受け部６に搬送する。このとき、レシート２５ａの略中央位置が支持部６ｂの回動部６ｄの支点６ｃ近傍に位置した時に搬送を停止する。
【００３５】
次に、図８、図１０（ｂ）の矢印Ｈのように、カード１１ａをカード処理部２３からカード搬送路２３ａを経由して紙幣受け部６に搬送する。
【００３６】
次に、図８、図９、図１０（ｃ）の矢印Ｉのように紙幣収納部２６ａより繰り出された紙幣３を紙幣受け部６に搬送する。
【００３７】
そして、図１０（ｄ）の矢印Ｆのように回動部６ｄを回動し、レシート２５ａにて紙幣３、カード１１ａを挟持する。そして、紙幣入出金口１４を開いて、レシート２５ａにて挟持されたカード１１ａ等を取り出せるようにする。
【００３８】
（実施例２の効果）
以上のように実施例２の自動取引装置によれば、カードを用いて本人確認を行って取引を行い、取引履歴を印字したレシートおよびカードとともに現金を出金する自動取引装置において、レシートを支持する支持部と、当該支持部の略中央位置に備えた支点により回動する回動部を紙幣受け部に備え、レシートの略中央位置が前記支持部の回動部の支点近傍に位置した時に搬送を停止し、当該内側に前記カードおよび出金現金を搬入し、前記回動部を回動して前記レシートの内側に前記カードおよび出金現金を挟持した状態で取り出せるようにしたので、実施例１と同様に、それぞれ別々の位置から取る必要がなく一度に受け取ることができ、取り忘れをも防止することができる。
【実施例３】
【００３９】
（構成）
実施例３の自動取引装置１の外観構成、制御系の構成は、図１および図３を用いて説明した実施例１の自動取引装置の構成と同様であるので、簡略化のためにその詳細な説明は省略する。
【００４０】
実施例３の自動取引装置では、図１２の装置内部側面図、図１３の装置内部正面図に示したように、実施例１と同様に、紙幣入出金口１４の下側に設けられ挟持手段としてのＶ字形状６ｖを有し支点６ａにて回転可能な媒体受け手段としての紙幣受け部６を備え、通帳１２ａによりカード１１ａ、レシート２５ａ、紙幣３を挟持して出力できる構成となっている。
【００４１】
また、実施例３の自動取引装置では、通帳記帳部２４と紙幣受け部６とを連結する通帳搬送路２４ａを備え、当該通帳搬送路２４ａは見開き側を上にして挿入された通帳１２ａの上下を反転させるために図１３の破線部のように通帳反転部２４ｂを設けている。その他の構成は実施例１の自動取引装置の構成と同様であるので、簡略化のためにその詳細な説明は省略する。
【００４２】
（動作）
以上の構成により実施例３の自動取引装置は、以下のように動作する。この動作を図１１の動作フローチャート、図１２の装置内部側面図、図１３の装置内部正面図、図１４の紙幣受取り部６の動作説明図を用いて、一例として出金取引の後に通帳記帳を行う場合の動作を以下詳細に説明する。
【００４３】
まず、図１１の動作フローチャートに示したように、顧客が自動取引装置１に近づき顧客センサ１０により顧客を検知すると、主制御部２０は、操作部１６の操作画面にカード１１ａの挿入を促すガイダンスを表示する（ステップＳ１０）。
【００４４】
そして、顧客がカード１１ａをカード挿入出力口１１から挿入すると、カード処理部２３にてカード１１ａに記録された情報から口座番号を取得する（ステップＳ１１）。
【００４５】
そして、操作部１６の操作画面に取引選択画面を表示し（ステップＳ１２）、本例では、顧客が「出金取引後、通帳記帳」を選択し当該ボタンを押下すると、通帳１２ａの挿入を促すガイダンスを操作部１６に表示する（ステップＳ１３）。
【００４６】
そして、顧客が、通帳挿入出力口１２から通帳１２ａを挿入すると、通帳記帳部２４に通帳１２ａを搬送する（ステップＳ１４）。
【００４７】
そして、パスワード等による本人確認処理が終了し（ステップＳ１５）、指定金額が入力されると、出金処理および通帳記帳処理を実施し、通帳１２ａ、カード１１ａ、レシート２５ａおよび紙幣３を紙幣受け部６に搬送し、詳細後述の第２の挟持動作により挟持媒体となる通帳１２ａにて被挟持媒体となるカード１１ａ、レシート２５ａおよび紙幣３を挟持し（ステップＳ１６）、紙幣入出金口１４を開き、顧客がこれを受領する（ステップＳ１７）。
【００４８】
そして、所定の時間が経過しても出金された紙幣等が残留していたときは、取忘れと判定し（ステップＳ１８）、図示しない取忘れ収納部にこれらを収納し（ステップＳ１９）、ホスト装置４０に当該取引結果をインタフェイス部３０により回線３１を経由して送信して、本処理を終了する。一方、所定の時間内に出金された紙幣等が取られ、取り忘れがないと判定したときは、ホスト装置４０に当該取引結果をインタフェイス部３０により回線３１を経由して送信して、本処理を終了する。
【００４９】
なお、取り忘れた紙幣等は、後の取引にて口座番号等により取り忘れた本人であることを確認した後、前記取忘れ収納部から取り出せるようにしてもよいし、前記取忘れ収納部から紙幣受け部６に再び搬送して紙幣受け部６から取り出せるようにしてもよいことは前述の実施例と同様である。
【００５０】
次に、図１２の装置内部側面図、図１３の装置内部正面図、図１４の紙幣入出金部６の動作説明図を用いて図１１のステップＳ１６の通帳記帳を伴う出金処理における第２の挟持動作の動作について詳細に説明する。
【００５１】
まず、通帳記帳部２４にて記帳され最終印字ページが開かれた通帳１２ａを図１２、図１３、図１４（ａ）の矢印Ａのように通帳搬送路２４ａを経由して紙幣受け部６に搬送する。このとき、通帳反転部２４ｂにより通帳１２ａの表裏が反転され、見開きページが下側となった状態で紙幣受け部６に搬送される。
【００５２】
すると、図１４（ａ）のように、通帳１２ａの先端側が垂れ下がり、さらに搬送するとＶ字形状６ｖに入り込む。
【００５３】
次に、カード処理部２３からカード１１ａを図１２、図１３、図１４（ｂ）の矢印Ｂのようにカード搬送路２３ａを経由して紙幣受け部６に搬送する。
【００５４】
次に、レシート印字部２５にて取引履歴等を印字したレシート２５ａを図１４（ｂ）の矢印Ｃのように紙幣受け部６に搬送する。
【００５５】
次に、図１２、図１３、図１４（ｃ）の矢印Ｄのように紙幣収納部２６ａより繰り出された紙幣３を紙幣受け部６に搬送する。
【００５６】
そして、図１４（ｄ）矢印Ｅのように紙幣受け部６を回動し、紙幣入出金口１４を開いて、通帳１２ａにて挟持されたカード等を取り出せるようにする。このとき、通帳１２ａにてしっかり挟持されるように紙幣受け部６を振動させるようにするとなおよいことは前述の実施例と同様である。
【００５７】
以上のように、顧客は、通帳１２ａの最終印字ページにカード１１ａ等が挟持された状態で受け取れるので、カード１１ａ等を通帳１２ａから取り出すときに、最終印字ページの記帳結果の確認も容易となる。
【００５８】
また、以上の実施例の説明では、常に、通帳１２ａにてレシート２５ａ、カード１１ａ、紙幣３を挟持して出力するように説明したが、取引開始時や出金する時に、通帳１２ａにてレシート２５ａ、カード１１ａ、紙幣３を挟持して一括で出力するか別々に出力するかを操作部１６にて選択できるようにしてもよい。
【００５９】
また、以上の実施例の説明では、音声案内部２２による案内について説明しなかったが、取引選択時や出金する時などに、通帳１２ａにてレシート２５ａ、カード１１ａ、紙幣３を挟持して一括で出力されることを音声ガイダンスするようにするとよい。
【００６０】
また、以上の実施例の説明では、紙幣入出金口１４の紙幣受け部６に通帳１２ａにてレシート２５ａ、カード１１ａ、紙幣３を挟持して出力するように説明したが、硬貨入出金口１５の硬貨受け部７を紙幣受け部６と同様の構造としカード１１ａ、レシート２５ａ、紙幣３に加え、硬貨も通帳１２ａで挟持して出力するようにしてもよい。
【００６１】
この場合、図１４（ｄ）にて矢印Ｅ方向に回動させる際、紙幣受け部６の開口部を右上位置にて一旦停止し出金する硬貨を通帳１２ａ内側に落下するようにし、さらに矢印Ｅ方向に回動するようにすればよい。
【００６２】
また、以上の実施例の説明では、出金取引後に通帳記帳を行う例を示したが、ステップＳ１６にて通帳１２ａの有無を判定し、通帳１２ａがあると判定したときは通帳１２ａによりレシート２５ａ等を挟持して出力し、通帳１２ａがないと判定したときはそれぞれ別の出力口に出力したり、実施例１のようにレシート２５ａにてカード１１ａ、紙幣３を挟持して出力するようにしてもよい。
【００６３】
また、カード１１ａを用いることなく通帳１２ａと暗証番号のみにより出金できるようにした自動取引装置の場合では、ステップＳ１６にてレシート２５ａ、紙幣３を通帳１２ａで挟持して出力するようにすればよい。
【００６４】
（実施例３の効果）
以上のように実施例３の自動取引装置によれば、カードを用いて本人確認を行って取引を行い、取引履歴を印字した通帳、レシートおよびカードとともに現金を出金する自動取引装置において、Ｖ字形状を備え回動可能な紙幣受け部を設け、前記Ｖ字形状にて前記通帳を最終印字ページを開いた状態で保持し、当該内側に前記レシート、カードおよび出金現金を搬入し、前記通帳にて前記レシート等を挟持した状態で取り出せるようにしたので、それぞれ別々の位置から取る必要がなく一度に受け取ることができ、取り忘れをも防止することができる。
【実施例４】
【００６５】
（構成）
実施例４の自動取引装置１の外観構成、制御系の構成は、図１および図３を用いて説明した実施例１の自動取引装置の構成と同様であるので、簡略化のためにその詳細な説明は省略する。
【００６６】
実施例４の自動取引装置では、図１５の装置内部側面図および図１６の装置内部側面図に示したように、実施例２と同様に、媒体受け手段としての紙幣受け部６内に挟持手段としての支持部６ｂおよび回動部６ｄを設け、通帳１２ａによりカード１１ａ、レシート２５ａ、紙幣３を挟持して出力できる構成となっている。  また、実施例４の自動取引装置では、実施例３と同様に、通帳記帳部２４と紙幣受け部６とを連結する通帳搬送路２４ａを備えている。その他の構成は実施例１の自動取引装置の構成と同様であるので、簡略化のためにその詳細な説明は省略する。
【００６７】
（動作）
以上の構成により実施例４の自動取引装置は、以下のように動作する。この動作を図１５の装置内部側面図、図１６の装置内部正面図、図１７の紙幣受け部６の動作説明図を用いて以下詳細に説明する。
【００６８】
なお、通帳記帳を伴う出金動作は図１１を用いて説明した実施例３の動作と同様であるので簡略化のためにその詳細な説明は省略する。
【００６９】
図１１のステップＳ１６の通帳記帳を伴う出金処理における第２の挟持動作では、まず、通帳記帳部２４にて記帳され最終印字ページが開かれた通帳１２ａを図１５、図１６、図１７（ａ）の矢印Ａのように通帳搬送路２４ａを経由して紙幣受け部６に搬送する。このとき、通帳１２ａの略中央位置が支持部６ｂの回動部６ｄの支点６ｃ近傍に位置した時に搬送を停止する。
【００７０】
次に、カード処理部２３からカード１１ａを図１５、図１６、図１７（ｂ）の矢印Ｂのようにカード搬送路２３ａを経由して紙幣受け部６に搬送する。また、レシート印字部２５にて取引履歴等を印字したレシート２５ａを図１７（ｂ）の矢印Ｃのように紙幣受け部６に搬送する。
【００７１】
次に、図１７（ｃ）矢印Ｄのように紙幣収納部２６ａより繰り出された紙幣３を紙幣受け部６に搬送する。
【００７２】
そして、図１７（ｄ）の矢印Ｆのように回動部６ｄを回動し、通帳１２ａにてカード１１ａ、レシート２５ａ、紙幣３を挟持する。そして、紙幣入出金口１４を開いて、通帳１２ａにて挟持されたカード１１ａ等を取り出せるようにする。
【００７３】
（実施例４の効果）
以上のように実施例４の自動取引装置によれば、カードを用いて本人確認を行って取引を行い、取引履歴を印字した通帳、レシートおよびカードとともに現金を出金する自動取引装置において、最終印字ページが開かれた通帳を支持する支持部と、当該支持部の略中央位置に備えた支点により回動する回動部を紙幣受け部に備え、通帳の略中央位置が前記支持部の回動部の支点近傍に位置した時に搬送を停止し、当該内側に前記カード、レシートおよび出金現金を搬入し、前記回動部を回動し、前記通帳の内側に前記レシート、カードおよび出金現金を挟持した状態で取り出せるようにしたので、実施例３と同様に、それぞれ別々の位置から取る必要がなく一度に受け取ることができ、取り忘れをも防止することができる。
【００７４】
《その他の変形例》
なお、以上の実施例の説明では、レシート２５ａまたは通帳１２ａを挟持媒体とした例を説明したが、冊子状または紙葉状の媒体であれば、その他のものであってもよく、例えば、紙幣３等を挟持媒体としてもよい。
【産業上の利用可能性】
【００７５】
以上述べたように、本発明は、カード、通帳等の取引用媒体を用いて紙幣や硬貨などの有価媒体を取扱い、前記有価媒体および前記取引用媒体を出力する現金自動預払機等の自動取引装置に広く用いることができる。
【符号の説明】
【００７６】
１    自動取引装置
３    紙幣
６    紙幣受け部
６ａ、６ｃ  支点
６ｂ  支持部
６ｄ  回動部
６ｖ  Ｖ字形状
７    硬貨受け部
１１  カード挿入出力口
１１ａ  カード
１２  通帳挿入出力口
１２ａ  通帳
１４  紙幣入出金口
１５  硬貨入出金口
１６  操作部
２０  主制御部
２２  音声案内部
２３  カード処理部
２３ａ  カード搬送路
２４  通帳記帳部
２４ａ  通帳搬送路
２４ｂ  通帳反転部
２５  レシート印字部
２５ａ  レシート
２６  紙幣入出金部
２７  硬貨入出金部
【図１】
2012128688.tif 000003
【図２】
2012128688.tif 000004
【図３】
2012128688.tif 000005
【図４】
2012128688.tif 000006
【図５】
2012128688.tif 000007
【図６】
2012128688.tif 000008
【図７】
2012128688.tif 000009
【図８】
2012128688.tif 000010
【図９】
2012128688.tif 000011
【図１０】
2012128688.tif 000012
【図１１】
2012128688.tif 000013
【図１２】
2012128688.tif 000014
【図１３】
2012128688.tif 000015
【図１４】
2012128688.tif 000016
【図１５】
2012128688.tif 000017
【図１６】
2012128688.tif 000018
【図１７】
2012128688.tif 000019